(57)【要約】【課題】具全体が表に現われず、具全体の装身状態を安定よく確実に保て、前身頃より容易に着脱可能に構成する。【解決手段】  前身頃Ｙを部分的に具全体の上側から受け板２の係止部と外枠１の上軸辺との間より外枠１の枠内に引き入れ、受け板２の係止部を外枠１の上軸辺に掛け止めて前身頃Ｙを挟込み保持し、更に、前身頃Ｙを外枠１の枠内で受け板２の板面と内枠３の各縦軸辺で挟込み保持し、具全体をズボンＰの内側に入れ込み、外枠１，内枠３の各縦軸辺を装身者の胴回りに締める服飾ベルトＢの幅方向と交差させて内枠３の下軸辺を服飾ベルトＢの下辺縁相当部にあてがい配置する。【選択図】図７
2012132116.tif 000002
【特許請求の範囲】
【請求項１】
上着衣の前身頃を裾寄りで部分的に挟込み保持し、前身頃の裾寄りと共に、具全体をズボンの内側に入れ込んで装身するズボンずり落ち防止具であって、
略四辺形の枠状を呈する外枠を基体とし、板状部材の受け板と、左右の縦軸辺と両縦軸辺の下端間に亘る下軸辺でなる内枠を備え、
受け板は、外枠の下軸辺を挿通保持する管状部を下端側に設け、外枠の上軸辺に掛止め可能な逆レ字状に折れ曲がる係止部を上端側に設け、外枠の下軸辺を挿通保持する管状部により、係止部を外枠の上軸辺に掛止め乃至は外れ方向に揺動可能に取り付け、
内枠は、外枠の上軸辺を挿通保持する輪曲げ部を各縦軸辺の上端側に設け、下軸辺に至る両縦軸辺の軸線を略直角に折り曲げて外枠の枠内より受け板の板面と逆方向に突き出る係合部を設け、外枠の上軸辺を挿通保持する輪曲げ部により、各縦軸辺を外枠の枠内で受け板の板面と相対し乃至は離間方向に揺動可能に取り付け、
具全体の装身時には、受け板の係止部を外枠の上軸辺より外れ状態に保って受け板を上着衣の前身頃と相対し、
前身頃の裾寄りを部分的に摘まんで具全体の上側から受け板の係止部と外枠の上軸辺との間より外枠の枠内に引き入れ、次に、受け板の係止部を外枠の上軸辺に掛け止めて外枠の枠内に引き入れた前身頃の裾寄りを受け板の係止部と外枠の上軸辺で挟込み保持し、更に、該前身頃の裾寄りを外枠の枠内で受け板の板面と内枠の各縦軸辺で挟込み保持し、
前身頃の裾寄りと共に、具全体をズボンの内側に入れ込み、外枠，内枠の各縦軸辺を装身者の胴回りに締める服飾ベルトの幅方向と交差させると共に、内枠の係合部を服飾ベルトの下辺縁相当部にあてがい配置する器具として構成したことを特徴とするズボンずり落ち防止具。
【請求項２】
外枠の上軸辺と同方向のローレット溝を周側面に設けた滑止めリングを上軸辺の軸線上に嵌込み装着した外枠を備えてなることを特徴とする請求項１に記載のズボンずり落ち防止具。
【請求項３】
内枠の下軸辺と同方向のローレット溝を周側面に設けた滑止めリングを下軸辺の軸線上に嵌込み装着した内枠を備えてなることを特徴とする請求項１に記載のズボンずり落ち防止具。
【請求項４】
両縦軸辺の相対間隔を受け板の横幅より相対的に狭く設定した内枠を備え、
具全体の取外し時には、内枠の揺動により、受け板の係止部と外枠の上軸辺で挟込み保持した前身頃の裾寄りを介し、受け板の係止部を両縦軸辺で外枠の上軸辺より外れ方向に押遣り可能な内枠を備えてなることを特徴とする請求項１に記載のズボンずり落ち防止具。
【請求項５】
両縦軸辺の相対間隔を受け板の横幅より相対的に狭く設定し、外枠の上軸辺を支点とし、受け板の板面と逆方向に大きく張り出す略楕円形の輪曲げ部を設けた内枠を備え、
具全体の取外し時には、内枠の揺動により、受け板の係止部と外枠の上軸辺で挟込み保持した前身頃の裾寄りを介し、受け板の係止部を輪曲げ部で外枠の上軸辺より外れ方向に押遣り可能な内枠を備えてなることを特徴とする請求項１に記載のズボンずり落ち防止具。
【発明の詳細な説明】
【技術分野】
【０００１】
本発明は、胴回り裾寄りをズボンの内側に仕舞い込むワイシャツ等（以下、「上着衣」という。）の前身頃を裾寄りで部分的に挟込み保持し、前身頃の裾寄りと共に、具全体をズボンの内側に入れ込むことにより、主に、ズボンのずり落ちを防ぐよう装身するズボンずり落ち防止具に関するものである。
【背景技術】
【０００２】
ズボンずり落ち防止具としては、ズボンの胴回り縁を肩掛けバンドの端部に備える鰐口クリップでくわえ込み、ズボンを肩掛けバンドで両肩に吊下げ支持するサスペンダーに代え、肩凝りの誘発を防げるよう肩掛けバンド等を備えず、二個を腹部両脇に分けて装身することにより、上着衣のめくれ出しと共に、ズボンのずり落ちを防止可能な器具が既に提案されている。
【０００３】
第１の公知例を挙げれば、第１の公知例は、横長な冠金具と、冠金具の両端寄りから相平行の直角方向に縦軸辺として伸びる左右の支柱軸と、支柱軸の軸間にスライド可能に掛け渡す挟み桟と、支柱軸の各軸端をＵ字状に折り曲げたフック部を備えて構成されている（特許文献１）。第１の公知例は、前身頃の裾寄りを部分的に摘まんで冠金具と挟み桟とで挟込み保持すると共に、フック部を服飾ベルトの背側から下辺縁に掛け止めるよう構成されている。
【０００４】
第１の公知例は、前身頃の裾寄りを冠金具と挟み桟で単に挟み込むままであると、冠金具乃至は挟み桟が服飾ベルトの下辺縁に掛け止めるフック部よりも高位で上着衣側に露出してしまう。このため、冠金具乃至は挟み桟を外部に露出させないで体裁を良好に保つことから、前身頃の裾寄りを冠金具と挟み桟で部分的に挟み込んだ状態で、冠金具と挟み桟を前身頃の内側に巻き込むものとして提案されている。
【０００５】
その前身頃の巻込みは、次のような手順で行われる。挟み桟は冠金具より離間状態に保ち、まず、フック部が高位側で、フック部の先端側が前身頃に向くよう具全体を反転させて上着衣の前身頃と相対させる。
【０００６】
次に、前身頃の裾寄りを具全体の上側より部分的に摘まんで挟み桟の前側から冠金具との間に引き込み、挟み桟を冠金具の近接方向にスライドさせて前身頃の裾寄りを冠金具と挟み桟で部分的に挟み込む。この前身頃の挟込み状態から、具全体を前方向に反転させて冠金具，挟み桟を前身頃の内側に巻き込むと共に、前向きになるフック部を服飾ベルトの背側から下辺縁に掛け止める。
【０００７】
その前身頃の巻込みは、上述した如く装身状態と著しく異なるため、手順的に分かり難いばかりでなく、前身頃の巻込みに手間も掛かる。
【０００８】
第１の公知例の他に、前身頃の巻込みを行うものが第２，３の公知例として提案されている（特許文献２，３）。
【０００９】
上述した手順的に分かり難い前身頃の巻込みを止め、前身頃の挟込み状態がズボンより外に露呈しないよう具全体をズボンの内側に入れ込むもの（第４の公知例）が提案されている（特許文献４）。
【００１０】
第４の公知例は、略下向きコ字状の基体枠を備え、冠金具に代わる係止片を横軸辺の軸線上に装着し、前身頃の裾寄りを係止片とで部分的に挟み込む挟み桟を縦軸辺の間にスライド可能に掛け渡すと共に、上着衣の前身頃を介して挟み桟を受ける凹溝を係止片の下面側に設けることにより構成されている。
【００１１】
第４の公知例では、挟み桟を係止片の凹溝で受けても、上着衣の前身頃を介してであるから、挟み桟による締付けが緩くて凹溝に対する挟み桟の入込みが浅いと、上着衣の前身頃が係止片と挟み桟から抜け外れてしまう事態が生ずる。
【００１２】
第４の公知例は、上述した構成に加えて、係止片の上部面を長手方向に亘って平らに形成し、腰裏地を介して係止片を服飾ベルトの下辺縁相当部にあてがい配置し、更に、ローレット溝を周側面の長手方向に設けたゴム質管を略半円弧状の定置枠として基体枠の縦軸辺間に亘るよう掛け渡すことにより構成されている。
【００１３】
第４の公知例では、腰裏地を介して係止片の上部面を服飾ベルトの下辺縁相当部にあてがうことによっても、装身者が体を横振り回転する等に伴って、係止片が腰裏地で滑って服飾ベルトの下辺縁相当部から外れ、定置枠があっても、具全体がズボンの外側に外れ出てしまう事態が生ずる。
【先行技術文献】
【特許文献】
【００１４】
【特許文献１】特開２００５−３０７３６１号公報
【特許文献２】特開２００４−３３２１３５号公報
【特許文献３】特開２００８−００２０２６号公報
【特許文献４】特開２００９−１７９８９３号公報
【発明の概要】
【発明が解決しようとする課題】
【００１５】
本発明は、肩に掛ける部材を備えずに肩凝りの誘発を防げることは勿論、具全体が表に現われず、具全体の装身状態を安定よく確実に保て、具全体の着脱が容易なズボンずり落ち防止具を構成することを課題とする。
【課題を解決するための手段】
【００１６】
本願の請求項１に係る発明は、上着衣の前身頃を裾寄りで部分的に挟込み保持し、前身頃の裾寄りと共に、具全体をズボンの内側に入れ込んで装身するズボンずり落ち防止具であって、
略四辺形の枠状を呈する外枠を基体とし、板状部材の受け板と、左右の縦軸辺と両縦軸辺の下端間に亘る下軸辺でなる内枠を備え、
受け板は、外枠の下軸辺を挿通保持する管状部を下端側に設け、外枠の上軸辺に掛止め可能な逆レ字状に折れ曲がる係止部を上端側に設け、外枠の下軸辺を挿通保持する管状部により、係止部を外枠の上軸辺に掛止め乃至は外れ方向に揺動可能に取り付け、
内枠は、外枠の上軸辺を挿通保持する輪曲げ部を各縦軸辺の上端側に設け、下軸辺に至る両縦軸辺の軸線を略直角に折り曲げて外枠の枠内より受け板の板面と逆方向に突き出る係合部を設け、外枠の上軸辺を挿通保持する輪曲げ部により、各縦軸辺を外枠の枠内で受け板の板面と相対し乃至は離間方向に揺動可能に取り付け、
具全体の装身時には、受け板の係止部を外枠の上軸辺より外れ状態に保って受け板を上着衣の前身頃と相対し、
前身頃の裾寄りを部分的に摘まんで具全体の上側から受け板の係止部と外枠の上軸辺との間より外枠の枠内に引き入れ、次に、受け板の係止部を外枠の上軸辺に掛け止めて外枠の枠内に引き入れた前身頃の裾寄りを受け板の係止部と外枠の上軸辺で挟込み保持し、更に、該前身頃の裾寄りを外枠の枠内で受け板の板面と内枠の各縦軸辺で挟込み保持し、
前身頃の裾寄りと共に、具全体をズボンの内側に入れ込み、外枠，内枠の各縦軸辺を装身者の胴回りに締める服飾ベルトの幅方向と交差させると共に、内枠の係合部を服飾ベルトの下辺縁相当部にあてがい配置する器具として構成したことを特徴とする。
【００１７】
本願の請求項２に係る発明は、外枠の上軸辺と同方向のローレット溝を周側面に設けた滑止めリングを上軸辺の軸線上に嵌込み装着した外枠を備えてなることを特徴とする。
【００１８】
本願の請求項３に係る発明は、内枠の下軸辺と同方向のローレット溝を周側面に設けた滑止めリングを下軸辺の軸線上に嵌込み装着した内枠を備えてなることを特徴とする。
【００１９】
本願の請求項４に係る発明は、両縦軸辺の相対間隔を受け板の横幅より相対的に狭く設定した内枠を備え、
具全体の取外し時には、内枠の揺動により、受け板の係止部と外枠の上軸辺で挟込み保持した前身頃の裾寄りを介し、受け板の係止部を両縦軸辺で外枠の上軸辺より外れ方向に押遣り可能な内枠を備えてなることを特徴とする。
【００２０】
本願の請求項５に係る発明は、両縦軸辺の相対間隔を受け板の横幅より相対的に狭く設定し、外枠の上軸辺を支点とし、受け板の板面と逆方向に大きく張り出す略楕円形の輪曲げ部を設けた内枠を備え、
具全体の取外し時には、内枠の揺動により、受け板の係止部と外枠の上軸辺で挟込み保持した前身頃の裾寄りを介し、受け板の係止部を輪曲げ部で外枠の上軸辺より外れ方向に押遣り可能な内枠を備えてなることを特徴とする。
【発明の効果】
【００２１】
本願の請求項１に係るズボンずり落ち防止具によると、前身頃の裾寄りを受け板の係止部と外枠の上軸辺、並びに、受け板の板面と内枠の各縦軸辺で挟込み保持し、外枠，内枠の各縦軸辺を服飾ベルトの幅方向と交差させることにより、受け板を含む外枠，内枠を服飾ベルトで装身者の体側にあてがい支持できるため、前身頃の裾寄りが具全体より抜け出ることがなく、受け板を係止部で外枠の上軸辺に掛け止め乃至は外すという簡単な手順により具全体を前身頃の裾寄りに容易に着脱できる。
【００２２】
また、上着衣の前身頃を具全体の上側より受け板の係止部と外枠の上軸辺との間から外枠の枠内に引き入れるに伴って、外枠の上軸辺に掛け止める受け板の係止部を前身頃で覆い、前身頃の裾寄りと共に、具全体をズボンの内側に入れ込むことにより、具全体が表に現われず、体裁を良好に保てる。
【００２３】
それに加えて、両縦軸辺を下軸辺寄りで略直角に折り曲げて外枠の枠内より突き出る係合部を設けた内枠を備え、内枠の係合部を服飾ベルトの下辺縁相当部にあてがい配置することにより、内枠の係合部が腰裏地を介して服飾ベルトの下辺縁相当部と引掛り状態となるため、服飾ベルトによる具全体の締付けも加わって、具全体がズボンの外側に外れ出るのを確実に防げる。
【００２４】
本願の請求項２に係るズボンずり落ち防止具によると、外枠の上軸辺と同方向のローレット溝を周側面に設けた滑止めリングを上軸辺の軸線上に嵌込み装着した外枠を備えることにより、受け板の係止部と外枠の上軸辺で挟込み保持する上着衣の前身頃が具全体より抜け出るのを外枠の滑止めリングで確実に防げる。
【００２５】
本願の請求項３に係るズボンずり落ち防止具によると、内枠の下軸辺と同方向のローレット溝を周側面に設けた滑止めリングを下軸辺の軸線上に嵌込み装着した内枠を備えることにより、滑止めリングが腰裏地を介して服飾ベルトの下辺縁相当部と引掛り状態になるため、服飾ベルトによる締付けも加わって、具全体がズボンの外側に外れ出るのを内枠の滑止めリングで確実に防げる。
【００２６】
本願の請求項４に係るズボンずり落ち防止具によると、両縦軸辺の相対間隔を受け板の横幅より相対的に狭く設定した内枠を備え、
具全体の取外し時には、内枠の揺動により、受け板の係止部と外枠の上軸辺で挟込み保持した前身頃の裾寄りを介し、受け板の係止部を両縦軸辺で外枠の上軸辺より外れ方向に押遣り可能な内枠を備えることにより、内枠を外枠の枠内より受け板と反対方向の上向きに揺動させると、受け板の係止部を外枠の上軸辺より外れ方向に内枠の両縦軸辺で押し遣れるため、受け板の係止部を外枠の上軸辺より簡単に外せる。
【００２７】
本願の請求項５に係るズボンずり落ち防止具によると、両縦軸辺の相対間隔を受け板の横幅より相対的に狭く設定し、外枠の上軸辺を支点とし、受け板と反対方向に大きく張り出す略楕円形の輪曲げ部を設けた内枠を備え、
具全体の取外し時には、内枠の揺動により、受け板の係止部と外枠の上軸辺で挟込み保持した前身頃の裾寄りを介し、受け板の係止部を輪曲げ部で外枠の上軸辺より外れ方向に押遣り可能な内枠を備えることにより、内枠を外枠の枠内より受け板と反対方向の略水平向きに揺動させると、受け板の係止部を外枠の上軸辺より外れ方向に内枠の輪曲げ部で押し遣れるため、受け板の係止部を外枠の上軸辺より簡単に外せる。
【図面の簡単な説明】
【００２８】
【図１】図１は、本発明に係るズボンずり落ち防止具の具全体を受け板並びに内枠の揺動状態で示す斜視図である。
【図２】図２は、図１の具全体を示す側断面図である。
【図３】図３は、図１の受け板を外枠の上軸辺に掛け止めて具全体を示す正面図である。
【図４】図４は、受け板の係止部を外枠の上軸辺より外れ方向に押遣り可能な内枠の輪曲げ部を示す側面図である。
【図５ａ】図５ａは、図１の具全体を前身頃の引入れ状態で示す側面図である。
【図５ｂ】図５ｂは、図１の具全体を前身頃の挟込み状態で示す側面図である。
【図５ｃ】図５ｃは、図５ｂの具全体を示す正面図である。
【図６】図６は、前身頃を挟み込んだ状態の具全体をズボンの内側より示す斜視図である。
【図７】図７は、具全体を服飾ベルトの締付け状態で示す側面図である。
【図８】図８は、具全体の装身状態を示す正面図である。
【発明を実施するための最良の形態】
【００２９】
図示実施の形態は、図１，図２を参照すると、具全体が略四辺形の枠状を呈する外枠１を基体とし、受け板２と、内枠３を備えて構成されている。この各部により、後述するように具二個を腹部両脇に分けて装身することから、ズボンのずり落ちと共に、上着衣のめくれ出しも防げる器具として構成されている。
【００３０】
外枠１は、比較的剛直な金属線材から上軸辺１０，下軸辺１１，左右の縦軸辺１２，１３を折り曲げて縦長な略四辺形の枠状を呈するよう形成されている。上軸辺１０の軸線上には、上軸辺１０と同方向のローレット溝を周側面に設けたゴム質の滑止めリング１４が上軸辺の略全長に亘って嵌込み装着されている。金属線材の軸端は、滑止めリング１４を嵌込み装着する上軸辺１０の略中央に配置されている。
【００３１】
受け板２は、金属薄板２ａを母体に、ゴム質の被膜２ｂを被着した板状部材で形成されている。受け板２は、外枠１の下軸辺１１を挿通保持する管状部２０を下端側に設け、外枠１の上軸辺１０に掛止め可能な逆レ字状に折れ曲がる係止部２１を上端側に設けて形成されている。受け板２は、外枠１の下軸辺１１を挿通保持する管状部２０により、係止部２１を外枠１の滑止めリング１４に掛止め乃至は外れ方向に揺動可能に取り付けられている。
【００３２】
受け板２の管状部２０は、金属薄板２ａを外枠１の下軸辺１１に巻装するよう略円筒状に湾曲形成されている。受け板２の係止部２１は、屈曲側２１ａが外枠１の滑止めリング１４よりも高位に位置し、先端側２１ｂが外枠１の滑止めリング１４より上方に反り上がり、反り上がりの先端側２１ｂに至る略中腹辺２１ｃが滑止めリング１４と摺接係合するよう形成されている。
【００３３】
内枠３は、金属線材から左右の縦軸辺３０，３１と両縦軸辺３０，３１の下端間に亘る下軸辺３２を折り曲げて形成されている。内枠３には、外枠１の上軸辺１０を挿通保持する輪曲げ部３３，３４が各縦軸辺３０，３１の上端側に設けられている。内枠３は、外枠１の上軸辺１０を挿通保持する輪曲げ部３３，３４により、各縦軸辺３０，３１を外枠１の枠内で受け板２の板面と相対し乃至は離間方向に揺動可能に取り付けられている。
【００３４】
内枠３には、両縦軸辺３０，３１の下軸辺３２に至る軸線を略直角に折り曲げて外枠１の枠内より受け板２と逆方向に突き出る係合部３５が設けられている。係合部３５の突出長さは、後述するように腰裏地を含むズボンの厚みと装飾ベルトの厚みの和よりも大きく設定されている。下軸辺３２の軸線上には、下軸辺３２と同方向のローレット溝を周側面に設けたゴム質の滑止めリング３６が嵌込み装着されている。
【００３５】
上述した滑止めリング１４，３５は、外枠１の上軸辺１０、内枠３の下軸辺３２で回転しないよう外枠１の上軸辺１０、内枠３の下軸辺３２を滑止めリング１４，３５の中心孔に圧入嵌着させて取り付けられている。
【００３６】
受け板２は、図３で示すように外枠１を形成する両縦軸辺１２，１３の相対間隔Ｗ１よりも狭い横幅Ｗ２を有する。内枠３は、両縦軸辺３０，３１の相対間隔Ｗ３が受け板２の横幅Ｗ２より狭くなるよう折り曲げられている。これにより、内枠３を外枠１の枠内より受け板２と反対方向の上向きに揺動させると、内枠３は、受け板２の係止部２１を外枠１の上軸辺１０より外れ方向に両縦軸辺３０，３１で押し遣れるよう形成されている。
【００３７】
内枠３の輪曲げ部３３（３４）は、図４で示すように外枠の上軸辺１０を中心に、受け板２と反対方向に大きく張り出す（Ｗ４＜Ｗ５）よう略楕円形に湾曲曲げされている。これにより、内枠３を外枠１の枠内より受け板２と反対方向の略水平向きに揺動させると、内枠３は、両縦軸辺３０，３１を上向きまで揺動させなくとも、受け板２の係止部２１を外枠１の上軸辺１０より外れ方向に輪曲げ部３３，３４で押し遣れるよう形成されている。
【００３８】
このように構成するズボンのずり落ち防止具を装身するには、図５ａで示すように受け板２の係止部２１を外枠１の上軸辺１０に装着した滑止めリング１４（図１参照、以下同じ）より外れ状態に保って受け板２を上着衣の前身頃Ｙと相対させる。
【００３９】
前身頃Ｙに対する具全体の相対位置は、事後に、前身頃Ｙの裾寄りをズボンの内側に入れ込んで装飾ベルトを締める部位に略合わせて設定する。次に、前身頃Ｙの裾寄りを部分的に摘まんで具全体の上側から受け板２の係止部２１と外枠１の滑止めリング１４との間より外枠１の枠内に引き入れる。
【００４０】
前身頃Ｙの裾寄りを外枠１の枠内に引き入れたならば、図５ｂで示すように受け板２の係止部２１を外枠１の滑止めリング１４に掛け止める。これにより、前身頃Ｙの裾寄りを受け板２の係止部２１と外枠１の滑止めリング１４で挟込み保持する。更に、図５ｃで示すように外枠１の枠内で受け板２の板面と内枠３の各縦軸辺３０，３１で挟込み保持する。
【００４１】
次に、図６で示すように前身頃Ｙの裾寄りと共に、具全体をズボンＰの内側に入れ込む。ズボンＰの前をスライドファスナ（図示せず）等で閉鎖したならば、服飾ベルトＢを装身者の胴回りに締める。最終的には、装身者がズボンＰの内側に入れる片手での作業により、図７で示すように外枠１，内枠３の各縦軸辺１２，３０（片側のみ図示）を服飾ベルトＢの幅方向と交差させると共に、内枠３の滑止めリング３５を服飾ベルトＢの下辺縁相当部にあてがい配置する。
【００４２】
具全体の装身状態では、前身頃Ｙの裾寄りを受け板２の係止部２１と外枠１の滑止めリング１４、また、受け板２の板面と内枠２の各縦軸辺３０で挟込み保持し、外枠１，内枠３の各縦軸辺１２，３０を服飾ベルトＢの幅方向と交差させることにより、受け板２を含む外枠１，内枠３を服飾ベルトＢで装身者の体側にあてがい支持できる。このため、前身頃Ｙの裾寄りが具全体より抜け出ることがない。
【００４３】
それに加えて、内枠３の滑止めリング３６を服飾ベルトＢの下辺縁相当部に配置することにより、内枠３の滑止めリング３６が腰裏地を介して服飾ベルトの下辺縁相当部で大きく突き出て引掛り状態となるため、服飾ベルトＢによる締付けも加わって、具全体がズボンＰの外側に外れ出るのを確実に防げる。
【００４４】
内枠３の滑止めリング３６を服飾ベルトＢの下辺縁相当部にあてがい配置すると、前身頃Ｙの裾寄りを挟込み保持した受け板２の係止部２１と外枠１の滑止めリング１４がズボンＰの胴回り縁よりズボンＰの内側で服飾ベルトＢの上辺縁相当部附近に位置する。また、上着衣の前身頃Ｙを具全体の上側より外枠１の枠内に引き入れることにより、少なくとも受け板２の係止部２１を上着衣の前身頃Ｙで覆える。このため、前身頃の裾寄りと共に、具全体をズボンの内側に入れ込むことにより、具全体が表に現われず、体裁を良好に保てる。
【００４５】
外枠１には、外枠１の上軸辺１０と同方向のローレット溝を周側面に設けた滑止めリング１４を上軸辺１０の軸線上に備えることにより、受け板２の係止部２１と外枠２の滑止めリング１４で挟込み保持する上着衣の前身頃Ｙが具全体より抜け出るのを滑止めリング１４で確実に防げる。
【００４６】
また、内枠３の下軸辺３２と同方向のローレット溝を周側面に設けた滑止めリング３６を下軸辺３２の軸線上に備えることにより、滑止めリング３６が腰裏地を介して服飾ベルトＢの下辺縁相当部と引掛り状態になるため、服飾ベルトＢによる締付けも加わって、具全体がズボンＰの外側に外れ出るのを滑止めリング３６で確実に防げる。
【００４７】
両縦軸辺３０，３１の相対間隔Ｗ３を受け板２の横幅Ｗ２より相対的に狭く設定した内枠３を備えることにより、具全体を前身頃Ｙより取り外す時には、内枠３を外枠１の枠内より受け板２と反対方向の上向きに揺動させると、前身頃Ｙの裾寄りを介し、受け板２の係止部２１を外枠１の滑止めリング１４より外れ方向に内枠３の両縦軸辺３０，３１で押し遣れる。このため、受け板２の係止部２１を外枠１の滑止めリング１４より簡単に外せる。
【００４８】
また、外枠１の上軸辺１０を支点とし、受け板２の板面と反対方向に大きく張り出す略楕円状の輪曲げ部３３，３４を設けたことにより、内枠３を外枠１の枠内より受け板２の板面と反対方向の略水平向きにまで揺動させると、前身頃Ｙの裾寄りを介し、受け板２の係止部２１を外枠１の滑止めリング１４より外れ方向に内枠３の輪曲げ部３３，３４で押し遣れる。これにても、受け板２の係止部２１を外枠１の滑止めリング１４より簡単に外せる。
【００４９】
本器具は、図８で示すように二個Ｘを腹部両脇に分けて装身することから、ズボンＰのずり落ちと共に、上着衣Ｙのめくれ出しを防げる。
【符号の説明】
【００５０】
１          外枠
１０，１１  外枠の上下軸辺
１２，１３  外枠の縦軸辺
１４        外枠の滑止めリング
２          受け板
２０        受け板の管状部
２１        受け板の係止部
３          内枠
３０，３１  内枠の縦軸辺
３２        内枠の下軸辺
３３，３４  内枠の輪曲げ部
３５        内枠の係合部
３６        内枠の滑止めリング
【図１】
2012132116.tif 000003
【図２】
2012132116.tif 000004
【図３】
2012132116.tif 000005
【図４】
2012132116.tif 000006
【図５ａ】
2012132116.tif 000007
【図５ｂ】
2012132116.tif 000008
【図５ｃ】
2012132116.tif 000009
【図６】
2012132116.tif 000010
【図７】
2012132116.tif 000011
【図８】
2012132116.tif 000012